(57)【要約】【課題】制御遅延を発生させることなく、移動局の位置における下り信号の品質を考慮した周波数選択制御を実施する。【解決手段】本発明に係る制御装置１００は、通信断セルを保持するように構成されている保持部５００と、所定条件が満たされると判定される場合、通信断セルの優先度を他の周波数セルの優先度よりも低くして、対象移動局９００が通信を行うべき通信周波数セルを選択するように構成されている選択部７００と、対象移動局９００に対して、選択部７００によって選択された通信周波数セルを通知するように構成されている通知部３００とを具備し、保持部５００は、所定期間内に、通知部３００によって通知された通信周波数セルを介して対象移動局９００からの制御信号が受信されない場合に、かかる通信周波数セルを通信断セルとして保持するように構成されている。【選択図】図５
2011130101.tif 000002
【特許請求の範囲】
【請求項１】
制御装置であって、
通信断セルを保持するように構成されている保持部と、
所定条件が満たされるか否かについて判定するように構成されている判定部と、
前記所定条件が満たされると判定される場合、通信断セルの優先度を他の周波数セルの優先度よりも低くして、対象移動局が通信を行うべき周波数セルを選択するように構成されている選択部と、
前記対象移動局に対して、前記選択部によって選択された周波数セルを通知するように構成されている通知部とを具備し、
前記保持部は、所定期間内に、前記通知部によって通知された前記周波数セルを介して前記対象移動局からの制御信号が受信されない場合に、該周波数セルを前記通信断セルとして保持するように構成されていることを特徴とする制御装置。
【請求項２】
前記保持部は、前記所定期間内に、前記通知部によって通知された前記周波数セルを介して前記対象移動局からの制御信号が受信されない場合に、該周波数セルを前記通信断セルとして保持すると共に、該対象移動局の位置を移動局の位置として保持するように構成されており、
前記判定部は、前記保持部によって保持されている前記移動局の位置と前記対象移動局の位置と間の距離が所定閾値以内である場合に、前記所定条件が満たされると判定するように構成されていることを特徴とする請求項１に記載の制御装置。
【請求項３】
前記判定部は、前記保持部によって前記通信断セルが保持されてから所定期間が経過していない場合に、前記所定条件が満たされると判定するように構成されていることを特徴とする請求項１に記載の制御装置。
【請求項４】
前記保持部は、前記所定期間内に、前記通知部によって通知された前記周波数セルを介して前記対象移動局からの制御信号が受信されない場合に、該周波数セルを前記通信断セルとして保持すると共に、該通信断セルが属するセクタを保持するように構成されており、
前記判定部は、前記対象移動局が接続中のセルが属するセクタと前記保持部によって保持されている前記通信断セルが属するセクタとが同一である場合に、前記所定条件が満たされると判定するように構成されていることを特徴とする請求項１に記載の制御装置。
【請求項５】
前記保持部は、前記所定期間内に、前記通知部によって通知された前記周波数セルを介して前記対象移動局からの制御信号が受信されない場合に、該周波数セルを前記通信断セルとして保持すると共に、該対象移動局を該通信断セルに対応する移動局として保持するように構成されており、
前記選択部は、前記対象移動局と前記通信断セルに対応する移動局とが同一でない場合、前記所定条件が満たされている否かに関わらず、該通信断セルの優先度を他の周波数セルの優先度よりも低くして、該対象移動局が通信を行うべき周波数セルを選択するように構成されていることを特徴とする請求項１に記載の制御装置。
【請求項６】
前記選択部は、前記通信断セルを、対象移動局が通信を行うべき周波数セルの候補から外すように構成されていることを特徴とする請求項１に記載の制御装置。
【請求項７】
通信断セルを保持する工程Ａと、
所定条件が満たされるか否かについて判定する工程Ｂと、
前記所定条件が満たされると判定される場合、通信断セルの優先度を他の周波数セルの優先度よりも低くして、対象移動局が通信を行うべき周波数セルを選択する工程Ｃと、
前記対象移動局に対して、前記工程Ｃにおいて選択された周波数セルを通知する工程Ｄとを有し、
前記工程Ａにおいて、所定期間内に、前記工程Ｄにおいて通知された前記周波数セルを介して前記対象移動局からの制御信号が受信されない場合に、該周波数セルを前記通信断セルとして保持することを特徴とする移動通信方法。
【発明の詳細な説明】
【技術分野】
【０００１】
本発明は、制御装置及び移動通信方法に関する。
【背景技術】
【０００２】
一般的に、移動通信ネットワークでは、１つのセクタにおいて複数の通信周波数が用いられており、セクタと運用周波数とで形成される無線セル（周波数セル）ごとに、電力やコードや時間等の有限な無線リソースを、複数の移動局の間で共用することになる。
【０００３】
各無線セルに接続されている移動局の数に偏りが生じると、混雑している無線セルに接続された移動局の通信品質は、他の無線セルに接続された移動局の通信品質と比べて劣化する。
【０００４】
したがって、特定の無線セルに接続する移動局が集中しないように、混雑度の低い運用周波数が用いられている無線セルを、短時間で容易に選択するための周波数選択制御が考えられている。
【０００５】
一方、移動通信ネットワークでは、接続する移動局を限定しない公衆基地局の他に、特定の移動局に対してのみ接続を許可するホーム基地局（Ｈｏｍｅ  ＮｏｄｅＢ/ｅＮｏｄｅＢ）と呼ばれる家庭等の小規模なエリアに設置される基地局が存在する。
【０００６】
移動通信ネットワークに、かかるホーム基地局が導入されると、各無線セルの混雑度を問わず、ホーム基地局からの下り信号が、既存の公衆基地局の下り信号に対する干渉となり、通信品質を劣化させるという問題点があった。
【０００７】
かかる問題点の解決案として、移動通信ネットワーク側での周波数選択制御の前に、移動局に他の無線セルの下り品質を測定させ、かかる下り品質の測定結果に応じて、移動通信ネットワークにおいて周波数選択制御を行う方法が考案されている。
【先行技術文献】
【特許文献】
【０００８】
【特許文献１】特開２００４-２３５７１０号公報
【特許文献２】特開平８-３３１６３７号公報
【特許文献３】特開２００７-２４３４２５号公報
【非特許文献】
【０００９】
【非特許文献１】３ＧＰＰ  ＴＳ２２.２２０
【発明の概要】
【発明が解決しようとする課題】
【００１０】
しかしながら、かかる移動通信システムにおいて、移動通信ネットワークにおいて周波数選択制御を行うごとに、移動局に他の無線セルの下り品質を測定させると、測定実施後に周波数選択制御を行うことになるため、制御遅延が発生するという問題点があった。
【００１１】
そこで、本発明は、上述の課題に鑑みてなされたものであり、制御遅延を発生させることなく、移動局の位置における下り信号の品質を考慮した周波数選択制御を実施することができる制御装置及び移動通信方法を提供することを目的とする。
【課題を解決するための手段】
【００１２】
本発明の第１の特徴は、制御装置であって、通信断セルを保持するように構成されている保持部と、所定条件が満たされるか否かについて判定するように構成されている判定部と、前記所定条件が満たされると判定される場合、通信断セルの優先度を他の周波数セルの優先度よりも低くして、対象移動局が通信を行うべき周波数セルを選択するように構成されている選択部と、前記対象移動局に対して、前記選択部によって選択された周波数セルを通知するように構成されている通知部とを具備し、前記保持部は、所定期間内に、前記通知部によって通知された前記周波数セルを介して前記対象移動局からの制御信号が受信されない場合に、該周波数セルを前記通信断セルとして保持するように構成されていることを要旨とする。
【００１３】
本発明の第２の特徴は、移動通信方法であって、通信断セルを保持する工程Ａと、所定条件が満たされるか否かについて判定する工程Ｂと、前記所定条件が満たされると判定される場合、通信断セルの優先度を他の周波数セルの優先度よりも低くして、対象移動局が通信を行うべき周波数セルを選択する工程Ｃと、前記対象移動局に対して、前記工程Ｃにおいて選択された周波数セルを通知する工程Ｄとを有し、前記工程Ａにおいて、所定期間内に、前記工程Ｄにおいて通知された前記周波数セルを介して前記対象移動局からの制御信号が受信されない場合に、該周波数セルを前記通信断セルとして保持することを要旨とする。
【発明の効果】
【００１４】
以上説明したように、本発明によれば、制御遅延を発生させることなく、移動局の位置における下り信号の品質を考慮した周波数選択制御を実施することができる制御装置及び移動通信方法を提供することができる。
【図面の簡単な説明】
【００１５】
【図１】本発明の第１の実施形態に係る移動通信システムの全体構成図である。
【図２】本発明の第１の実施形態に係る無線回線制御局の機能ブロック図である。
【図３】本発明の第１の実施形態に係る無線回線制御局によって管理されている通信断情報の一例を示す図である。
【図４】本発明の第１の実施形態に係る移動通信システムの動作を説明するための図である。
【図５】本発明の第１の実施形態に係る無線回線制御局の動作を示すフローチャートである。
【図６】本発明の第２の実施形態に係る無線回線制御局によって管理されている通信断情報の一例を示す図である。
【図７】本発明の第２の実施形態に係る無線回線制御局の動作を示すフローチャートである。
【発明を実施するための形態】
【００１６】
（本発明の第１の実施形態に係る移動通信システム）
図１乃至図５を参照して、本発明の第１の実施形態に係る移動通信システムについて説明する。
【００１７】
図１に示すように、本実施形態に係る移動通信システムでは、各基地局（公衆基地局１、２又はホーム基地局３〜５）は、制御装置１００、２００に収容されている。
【００１８】
図１の例では、公衆基地局１及びホーム基地局３〜５は、制御装置１００に収容されており、公衆基地局２は、制御装置２００に収容されている。
【００１９】
公衆基地局１は、複数の無線セル（以下、公衆セル）１０〜１３を収容しており、公衆基地局２は、複数の公衆セル２０〜２３を収容しており、ホーム基地局３は、単一の無線セル（以下、ホームセル）３０を収容しており、ホーム基地局４は、単一のホームセル４０を収容しており、ホーム基地局５は、単一のホームセル５０を収容している。
【００２０】
なお、公衆セル１０〜１３、２０〜２３には、不特定多数の移動局が在圏及び通信可能であるが、ホームセル３０〜５０には、特定の移動局（以下、ホーム移動局）のみが在圏及び通信可能となる。
【００２１】
ホーム移動局以外の移動局（以下、非ホーム移動局）にとっては、ホームセル３０〜５０からの信号は、自局と通信する公衆セルにとっての干渉源となり、かかる非ホーム移動局の通信品質の劣化を招くことになる。
【００２２】
また、図１の例では、４つ運用周波数＃Ａ〜＃が利用されており、無線セル１０、２０、３０では、運用周波数＃Ａが利用されており、無線セル１１、２１、４０では、運用周波数＃Ｂが利用されており、無線セル１２、２２、５０では、運用周波数＃Ｃが利用されており、無線セル１３、２３では、運用周波数＃Ｄが利用されている。なお、図１の例では、簡単化のためオムニセルが用いられている。
【００２３】
一方、図１の例では、移動局９００は、非ホーム移動局であり、無線セル１０に在圏している。
【００２４】
なお、本発明は、Ｗ-ＣＤＭＡ方式の無線アクセスネットワークを有する移動通信システムだけでなく、ＬＴＥ（Ｌｏｎｇ  Ｔｅｒｍ  Ｅｖｏｌｕｔｉｏｎ）方式の無線アクセルネットワーク等を有する移動通信システムにも適用可能である。
【００２５】
図２に示すように、制御装置１００、２００は、通知部３００と、監視部４００と、保持部５００と、判定部６００と、選択部７００とを具備している。
【００２６】
なお、制御装置１００、２００は、Ｗ-ＣＤＭＡ方式の無線アクセスネットワークを有する移動通信システムでは、無線回線制御局ＲＮＣ（Ｒａｄｉｏ  Ｎｅｔｗｏｒｋ  Ｃｏｎｔｒｏｌｌｅｒ）内に設けられていてもよいし、他の装置内に設けられていてもよい。
【００２７】
また、制御装置１００、２００は、ＬＴＥ方式の無線アクセスネットワークを有する移動通信システムでは、公衆基地局１、２内に設けられていてもよいし、他の装置内に設けられていてもよい。
【００２８】
通知部３００は、対象移動局に対して、選択部７００によって選択された通信周波数セルを通知するように構成されている。
【００２９】
ここで、対象移動局は、上述の周波数選択制御の対象の移動局である。また、通信周波数セルは、対象移動局９００が通信を行うべき周波数セルである。
【００３０】
なお、通知部３００は、通信周波数セルを特定するための情報として、通信周波数セルとして選択された周波数セルで用いられている運用周波数を通知するように構成されていてもよい。
【００３１】
通知部３００が、対象移動局９００に対して通信周波数セルを通知した後に、監視部４００は、所定期間、かかる通信周波数セルを介した対象移動局９００からの制御信号の受信を監視するように構成されている。
【００３２】
ここで、かかる制御信号は、かかる対象移動局９００の上述の通信周波数セルへの遷移後に送信される制御信号である。
【００３３】
図３に示すように、保持部５００は、移動局ごとに、かつ、公衆基地局１、２配下のセクタごとに、「移動局の位置」と「通信断セル」とを関連付けて保持するように構成されている。
【００３４】
ここで、保持部５００は、監視部４００によって所定期間内に上述の制御信号の受信が確認されなかった場合、通知部３００によって対象移動局９００に通知された通信周波数セルを、かかる通信周波数セルが属するセクタ及び移動局９００の組み合わせに対応する「通信断セル」として保持するように構成されている。
【００３５】
かかる場合、保持部５００は、さらに、対象移動局９００の位置を、かかる通信周波数セルが属するセクタ及び移動局９００の組み合わせに対応する「移動局の位置」として保持するように構成されていてもよい。
【００３６】
なお、保持部５００は、「通信断セル」及び「移動局の位置」の組み合わせを１つだけ保持してもよいし、移動局及びセクタの組み合わせに対して「通信断セル」及び「移動局の位置」の組み合わせを複数保持してもよい。
【００３７】
保持部５００は、複数の「通信断セル」及び「移動局の位置」の組み合わせを保持する場合には、ホーム基地局の移設や周波数変更を想定し、保持の開始から所定期間が経過した「通信断セル」及び「移動局の位置」の組み合わせを削除するように構成されていてもよい。かかる所定期間は、図３に示す「クリアタイマ」によって規定されていてもよい。
【００３８】
判定部６００は、所定条件が満たされるか否かについて判定するように構成されている。
【００３９】
例えば、判定部６００は、保持部５００によって保持されている「移動局の位置」と対象移動局９００の位置と間の距離が所定閾値以内である場合に、所定条件が満たされると判定するように構成されていてもよい。
【００４０】
判定部６００は、対象移動局９００が接続中のセルが属するセクタと保持部５００によって保持されている「通信断セル」が属するセクタとが同一である場合に、所定条件が満たされると判定するように構成されていてもよい。
【００４１】
選択部７００は、判定部６００によって所定条件が満たされていると判定された場合、保持部５００によって保持されている「通信断セル」の優先度を他の周波数セルの優先度よりも低くして、対象移動局９００が通信を行うべき通信周波数セルを選択するように構成されている。
【００４２】
ここで、選択部７００は、対象移動局９００と「通信断セル」に対応する移動局とが同一でない場合、所定条件が満たされている否かに関わらず、通信断セルの優先度を他の周波数セルの優先度よりも低くして、対象移動局９００が通信を行うべき通信周波数セルを選択するように構成されていてもよい。
【００４３】
また、選択部７００は、保持部５００によって保持されている「通信断セル」を、対象移動局９００が通信を行うべき通信周波数セルの候補から外すように構成されていてもよい。
【００４４】
図４及び図５を参照して、本発明の第１の実施形態に係る移動通信システムの動作について説明する。
【００４５】
第１に、図４を参照して、本実施形態に係る制御装置１００のの概略動作の一例について説明する。
【００４６】
図４に示すように、制御装置１００は、ステップＳ１０００において、自局に収容されている公衆基地局１配下の公衆セル１０に在圏している対象移動局９００に係る発信処理や着信処理を開始する場合、ステップＳ１００１において、対象移動局９００の位置を記憶する。
【００４７】
ステップＳ１００２において、制御装置１００は、対象移動局９００の位置をカバーする公衆セル１０〜１３を通信周波数セル候補とし、かかる通信周波数セルの中から、ホームセルからの干渉を受けないような通信周波数セルを指定して対象移動局９００に対して通知する。
【００４８】
第２に、図５を参照して、本実施形態に係る制御装置１００の詳細動作の一例について説明する。
【００４９】
図５に示すように、ステップＳ２０００において、対象移動局９００に係る発信イベント又は着信イベントが発生し、ステップＳ２００１において、制御装置１００が、対象移動局９００から通信開始要求信号を受信した場合、ステップＳ２００２において、制御装置１００は、通信開始要求信号が上がってきた無線セル（例えば、公衆セル１０）及び当該無線セルとエリアがオーバーラップしている公衆セル（例えば、公衆セル１１〜１３）を、通信周波数セル候補＃Ａに決定する。
【００５０】
ステップＳ２００３において、制御装置１００は、ステップＳ２００１において受信した通信開始要求信号から、対象移動局９００の位置＃Ｂを推定する。
【００５１】
例えば、制御装置１００は、対象移動局９００によって測定された無線区間の遅延時間及び通信開始要求信号が上がってきた無線セル（例えば、公衆セル１０）に基づいて対象移動局９００の位置＃Ｂを推定してもよいし、通信開始要求信号が上がってきた無線セル（例えば、公衆セル１０）の中心位置を対象移動局９００の位置＃Ｂと推定してもよい。
【００５２】
ステップＳ２００４において、制御装置１００は、保持部５００において、対象移動局９００に対応する「移動局の位置＃Ｃ」が保持されているか否かについて判定する。
【００５３】
「移動局の位置＃Ｃ」が保持されていると判定された場合、本動作は、ステップＳ２００５に進み、「移動局の位置＃Ｃ」が保持されていないと判定された場合、本動作は、ステップＳ２００８に進む。
【００５４】
ステップＳ２００５において、制御装置１００は、推定した対象移動局９００の位置＃Ｂと保持部５００によって保持されている「移動局の位置＃Ｃ」との間の距離が所定距離以内であるか否かについて、すなわち、推定した対象移動局９００の位置＃Ｂと保持部５００によって保持されている「移動局の位置＃Ｃ」とが近隣する関係にあるか否かについて判定する。
【００５５】
「ＹＥＳ」であると判定された場合、本動作は、ステップＳ２００６に進み、「ＮＯ」であると判定された場合、本動作は、ステップＳ２００８に進む。
【００５６】
制御装置１００は、ステップＳ２００６において、「移動局の位置＃Ｃ」に対応する「通信断セル＃Ｄ」を参照し、ステップＳ２００７において、「通信断セル＃Ｄ」についての混雑度をオフセットする。
【００５７】
ステップＳ２００８において、制御装置１００は、通信周波数セル候補＃Ａに含まれる各無線セルの混雑度を参照して、最も混雑度の小さい無線セルを、対象移動局９００の通信周波数セル＃Ｅに決定する。
【００５８】
ここで、ステップＳ２００８に至る過程でステップＳ２００７を経た場合、通信周波数セル候補＃Ａの中で、「通信断セル＃Ｄ」は、混雑度にオフセットが加算されているので、「通信断セル＃Ｄ」以外の通信周波数セル候補＃Ａ内の無線セルと比べて相対的に優先度が下がり、通信周波数セル＃Ｅとして選択され難くなる。
【００５９】
なお、制御装置１００は、「通信断セル＃Ｄ」を通信周波数セル候補＃Ａから除外してもよい。
【００６０】
また、図５の例では、制御装置１００が、混雑度に基づいて通信周波数セル＃Ｅを選択するケースを挙げて説明がなされているが、制御装置１００は、混雑度以外の基準で通信周波数セル＃Ｅを決定してもよい。混雑度以外の基準で通信周波数セル＃Ｅを決定するケースでも、「通信断セル＃Ｄ」について優先度を落とす或いは通信周波数セル候補＃Ａから除外するという扱いをすればよい。
【００６１】
制御装置１００は、ステップＳ２００９において、対象移動局９００に対して、ステップＳ２００８において決定した通信周波数セル＃Ｅを通知し、ステップＳ２０１０において、所定期間、通信周波数セル＃Ｅを介して対象移動局９００からの制御信号の受信の有無を監視する。
【００６２】
ステップＳ２０１１において、制御装置１００は、所定期間内に、上述の制御信号を受信しなかった場合、ステップＳ２０１２において、通信周波数セル＃Ｅにおいてホームエリアが設置されているとみなし、対象移動局９００の位置＃Ｂに「移動局の位置＃Ｃ」を更新すると共に、ステップＳ２０１３において、今通信断となった通信周波数セル＃Ｅに「通信断セル＃Ｄ」を更新する。
【００６３】
ステップＳ２０１１において、制御装置１００は、所定期間内に、上述の制御信号を受信した場合、本動作は、終了する。
【００６４】
本発明の第１の実施形態に係る移動通信システムによれば、ホーム基地局３〜５が導入されている場合であっても、対象移動局９００に対してホームセル３０〜５０からの干渉を回避するように、通信周波数セルを選択することができる。
【００６５】
また、本発明の第１の実施形態に係る移動通信システムによれば、通信周波数セルを選択する際に、対象移動局９００に対して他の無線セルの通信品質を測定させなくても、接続遅延（在圏状態から通信状態になるまでの遅延）を犠牲にすることなく干渉回避を実現することができる。
【００６６】
（本発明の第２の実施形態）
図６及び図７を参照して、本発明の第２の実施形態に係る移動通信システムについて説明する。以下、本発明の第２の実施形態に係る移動通信システムについて、上述の第１の実施形態に係る移動通信システムとの相違点に着目して説明する。
【００６７】
保持部５００は、図６に示すように、保持部５００は、移動局ごとに、かつ、公衆基地局１、２配下のセクタごとに、「通信断セル」を保持するように構成されている。
【００６８】
ここで、保持部５００は、監視部４００によって所定期間内に上述の制御信号の受信が確認されなかった場合、通知部３００によって対象移動局９００に通知された通信周波数セルを、かかる通信周波数セルが属するセクタおよい移動局９００に組み合わせに対応する「通信断セル」として保持するように構成されている。
【００６９】
なお、保持部５００は、「通信断セル」を１つだけ保持してもよいし、移動局及びセクタの組み合わせに対して「通信断セル」を複数保持してもよい。
【００７０】
保持部５００は、複数の「通信断セル」を保持する場合には、ホーム基地局の移設や周波数変更を想定し、保持の開始から所定期間が経過した「通信断セル」を削除するように構成されていてもよい。かかる所定期間は、図６に示す「クリアタイマ」によって規定されていてもよい。
【００７１】
また、判定部６００は、保持部５００によって「通信断セル」が保持されてから所定期間が経過していない場合に、所定条件が満たされると判定するように構成されていてもよい。
【００７２】
以下、図７を参照して、本実施形態に係る制御装置１００の詳細動作の一例について説明する。
【００７３】
図７に示すように、ステップＳ３０００において、対象移動局９００に係る発信イベント又は着信イベントが発生し、ステップＳ３００１において、制御装置１００が、対象移動局９００から通信開始要求信号を受信した場合、ステップＳ３００２において、制御装置１００は、通信開始要求信号が上がってきた無線セル（例えば、公衆セル１０）及び当該無線セルとエリアがオーバーラップしている公衆セル（例えば、公衆セル１１〜１３）を、通信周波数セル候補＃Ａに決定する。
【００７４】
ステップＳ３００３において、制御装置１００は、タイマ＃Ｂが起動してから一定時間が経過したか否かについて判定する。
【００７５】
「ＹＥＳ」であると判定された場合、本動作は、ステップＳ３００４に進み、「ＮＯ」であると判定された場合、本動作は、ステップＳ３００６に進む。
【００７６】
制御装置１００は、ステップＳ３００４において、タイマ＃Ｂに対応する「通信断セル＃Ｃ」を参照し、ステップＳ３００５において、「通信断セル＃Ｃ」についての混雑度をオフセットする。
【００７７】
ステップＳ３００６において、制御装置１００は、通信周波数セル候補＃Ａに含まれる各無線セルの混雑度を参照して、最も混雑度の小さい無線セルを、対象移動局９００の通信周波数セル＃Ｄに決定する。
【００７８】
ここで、ステップＳ３００６に至る過程でステップＳ３００５を経た場合、通信周波数セル候補＃Ａの中で、「通信断セル＃Ｃ」は、混雑度にオフセットが加算されているので、「通信断セル＃Ｃ」以外の通信周波数セル候補＃Ａ内の無線セルと比べて相対的に優先度が下がり、通信周波数セル＃Ｄとして選択され難くなる。
【００７９】
なお、制御装置１００は、「通信断セル＃Ｃ」を通信周波数セル候補＃Ａから除外してもよい。
【００８０】
また、図７の例では、制御装置１００が、混雑度に基づいて通信周波数セル＃Ｄを選択するケースを挙げて説明がなされているが、制御装置１００は、混雑度以外の基準で通信周波数セル＃Ｄを決定してもよい。混雑度以外の基準で通信周波数セル＃Ｄを決定するケースでも、「通信断セル＃Ｃ」について優先度を落とす或いは通信周波数セル候補＃Ａから除外するという扱いをすればよい。
【００８１】
制御装置１００は、ステップＳ３００７において、対象移動局９００に対して、ステップＳ３００６において決定した通信周波数セル＃Ｄを通知し、ステップＳ３００８において、所定期間、通信周波数セル＃Ｄを介して対象移動局９００からの制御信号の受信の有無を監視する。
【００８２】
ステップＳ３００９において、制御装置１００は、所定期間内に、上述の制御信号を受信しなかった場合、ステップＳ３０１０において、通信周波数セル＃Ｄにおいてホームエリアが設置されているとみなし、タイマ＃Ｂを起動すると共に、ステップＳ３０１１において、今通信断となった通信周波数セル＃Ｄに「通信断セル＃Ｃ」を更新する。
【００８３】
ステップＳ３００９において、制御装置１００は、所定期間内に、上述の制御信号を受信した場合、本動作は、終了する。
【００８４】
以上に述べた本実施形態の特徴は、以下のように表現されていてもよい。
【００８５】
本実施形態の第１の特徴は、制御装置１００、２００であって、通信断セルを保持するように構成されている保持部５００と、所定条件が満たされるか否かについて判定するように構成されている判定部６００と、所定条件が満たされると判定される場合、通信断セルの優先度を他の周波数セルの優先度よりも低くして、対象移動局９００が通信を行うべき通信周波数セルを選択するように構成されている選択部７００と、対象移動局９００に対して、選択部７００によって選択された通信周波数セルを通知するように構成されている通知部３００とを具備し、保持部５００は、所定期間内に、通知部３００によって通知された通信周波数セルを介して対象移動局９００からの制御信号が受信されない場合に、かかる通信周波数セルを通信断セルとして保持するように構成されていることを要旨とする。
【００８６】
本実施形態の第１の特徴において、保持部５００は、所定期間内に、通知部３００によって通知された通信周波数セルを介して対象移動局９００からの制御信号が受信されない場合に、かかる通信周波数セルを通信断セルとして保持すると共に、対象移動局９００の位置を移動局の位置として保持するように構成されており、判定部６００は、保持部５００によって保持されている移動局の位置と対象移動局９００の位置と間の距離が所定閾値以内である場合に、所定条件が満たされると判定するように構成されていてもよい。
【００８７】
本実施形態の第１の特徴において、判定部６００は、保持部５００によって通信断セルが保持されてから所定期間が経過していない場合に、所定条件が満たされると判定するように構成されていてもよい。
【００８８】
本実施形態の第１の特徴において、保持部５００は、所定期間内に、通知部３００によって通知された通信周波数セルを介して対象移動局９００からの制御信号が受信されない場合に、かかる通信周波数セルを通信断セルとして保持すると共に、かかる通信断セルが属するセクタを保持するように構成されており、判定部６００は、対象移動局９００が接続中のセルが属するセクタと保持部５００によって保持されている通信断セルが属するセクタとが同一である場合に、所定条件が満たされると判定するように構成されていてもよい。
【００８９】
本実施形態の第１の特徴において、保持部５００は、所定期間内に、通知部３００によって通知された通信周波数セルを介して対象移動局９００からの制御信号が受信されない場合に、かかる通信周波数セルを通信断セルとして保持すると共に、かかる対象移動局９００を通信断セルに対応する移動局として保持するように構成されており、選択部７００は、対象移動局９００と通信断セルに対応する移動局とが同一でない場合、所定条件が満たされている否かに関わらず、通信断セルの優先度を他の周波数セルの優先度よりも低くして、対象移動局９００が通信を行うべき通信周波数セルを選択するように構成されていてもよい。
【００９０】
本実施形態の第１の特徴において、選択部７００は、通信断セルを、対象移動局９００が通信を行うべき通信周波数セルの候補から外すように構成されていてもよい。
【００９１】
本実施形態の第２の特徴は、移動通信方法であって、通信断セルを保持する工程Ａと、所定条件が満たされるか否かについて判定する工程Ｂと、所定条件が満たされると判定される場合、通信断セルの優先度を他の周波数セルの優先度よりも低くして、対象移動局９００が通信を行うべき通信周波数セルを選択する工程Ｃと、対象移動局９００に対して、前記工程Ｃにおいて選択された通信周波数セルを通知する工程Ｄとを有し、工程Ａにおいて、所定期間内に、工程Ｄにおいて通知された通信周波数セルを介して対象移動局９００からの制御信号が受信されない場合に、かかる通信周波数セルを通信断セルとして保持することを要旨とする。
【００９２】
なお、上述の制御装置１００、２００や公衆無線基地局１、２やホーム基地局３〜５や移動局９００の動作は、ハードウェアによって実施されてもよいし、プロセッサによって実行されるソフトウェアモジュールによって実施されてもよいし、両者の組み合わせによって実施されてもよい。
【００９３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、制御装置１００、２００や公衆無線基地局１、２やホーム基地局３〜５や移動局９００内に設けられていてもよい。また、かかる記憶媒体及びプロセッサは、ディスクリートコンポーネントとして制御装置１００、２００や公衆無線基地局１、２やホーム基地局３〜５や移動局９００内に設けられていてもよい。
【００９５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００９６】
１、２…公衆基地局
３〜５…ホーム基地局
１０〜１３、２０〜２３…公衆セル
３０、４０、５０…ホームセル
１００、２００…無線回線制御局
３００…通知部
４００…監視部
５００…保持部
６００…判定部
７００…選択部
９００…移動局
【図１】
2011130101.tif 000003
【図２】
2011130101.tif 000004
【図３】
2011130101.tif 000005
【図４】
2011130101.tif 000006
【図５】
2011130101.tif 000007
【図６】
2011130101.tif 000008
【図７】
2011130101.tif 000009